【手続補正書】
【提出日】平成17年8月29日(2005.8.29)
【手続補正１】
【補正対象書類名】明細書
【補正対象項目名】発明の名称
【補正方法】変更
【補正の内容】
【発明の名称】閃光装置，補助電源装置および補助電源付き電気システム
【手続補正２】
【補正対象書類名】明細書
【補正対象項目名】特許請求の範囲
【補正方法】変更
【補正の内容】
【特許請求の範囲】
【請求項１】  主コンデンサの充電電荷により発光する発光部と、
電源電池としての内部電池が装填される電池室と、
前記内部電池に直列接続される外部電池が装填される補助電源装置が着脱される着脱部と、
前記補助電源装置の装着の有無を検出する検出部材とを具備することを特徴とする閃光装置。
【請求項２】  請求項１に記載の閃光装置において、
前記主コンデンサの充電速度を検出し、その充電速度と前記検出部材の検出結果に基づいて、前記内部電池のバッテリ残量に応じた出力、または前記内部電池と外部電池のバッテリ残量に応じた出力を得るバッテリチェック回路を更に具備することを特徴とする閃光装置。
【請求項３】  請求項２に記載の閃光装置において、
前記バッテリチェック回路は、検出された充電速度とバッテリチェック用閾値とを比較してバッテリ残量に応じた出力を得ることを特徴とする閃光装置。
【請求項４】  請求項３の閃光装置において、
前記検出部材により前記補助電源装置が装着されていることが検出されたときは、検出されない場合と比べて前記閾値を高くすることを特徴とする閃光装置。
【請求項５】  請求項１〜４のいずれかに記載の閃光装置と、
請求項１〜４のいずれかに記載の補助電源装置とを備え、
前記内部電池と外部電池はそれぞれ円筒電池であり、
前記電池室には、複数の前記円筒電池を横一列に並べて装填する内部電池空間が設けられ、
前記補助電源装置には、前記複数の円筒電池の並び方向にその軸心が延在するように前記外部電池であるひとつの円筒電池が装填される外部電池空間が設けられていることを特徴とする補助電源付き閃光システム。
【請求項６】  電気装置に着脱される補助電源装置であって、
外部電池が装填されるとともに、前記電気装置の電池室の蓋と交換して前記電気装置に着脱可能な電池装填部と、
前記電池装填部の着脱により、該電池装填部に装填されている内部電池を前記電気装置の電池室に装填されている外部電池に接続する電気的接続部材と、
前記電池装填部に設けられ、前記蓋が装填される蓋装着部とを備え、
前記蓋が前記蓋装填部に装着されると前記電池装填部の電池を隠蔽する補助電源装置。
【請求項７】  請求項６に記載の補助電源装置において、
前記蓋を前記電池装填部に装着するのに連動して前記電池装填部の前記電気装置からの取り外しを阻止し、該蓋を取り外すのに連動して前記取り外し阻止を解除するロック機構を更に具備することを特徴とする補助電源装置。
【請求項８】  請求項６または７に記載の補助電源装置において、
前記電池装填部は、前記電池を支持し前記電気装置に着脱可能な電池支持台と、
該電池支持台に支持された電池の周囲を囲むように位置決め配置される電池カバーとを有し、
前記電池カバーを前記電池支持台に位置決め配置して該電池カバーに前記蓋を装着することで、該蓋を介して前記電池支持台と前記電池カバーとが一体化され、前記蓋を取り外すことで前記電池支持台と前記電池カバーとの一体化が解除されることを特徴とする補助電源装置。
【請求項９】  請求項６〜８のいずれかに記載の補助電源装置において、
前記電気装置はカメラ用閃光装置であることを特徴とする補助電源装置。
【請求項１０】  請求項６〜８のいずれかに記載の電気装置と、
請求項６〜８のいずれかに記載の補助電源装置とを備え、
前記電池室には、複数の前記円筒電池を横一列に並べて装填する内部電池空間が設けられ、
前記補助電源装置には、前記複数の円筒電池の並び方向にその軸心が延在するように前記外部電池であるひとつの円筒電池が装填される外部電池空間が設けられていることを特徴とする補助電源付き電気システム。
【請求項１１】  請求項１０に記載の補助電源付き電気システムにおいて、
前記電気装置はカメラ用閃光装置であることを特徴とする補助電源付き電気システム。
【手続補正３】
【補正対象書類名】明細書
【補正対象項目名】０００１
【補正方法】変更
【補正の内容】
【０００１】
【発明の属する技術分野】
本発明は、補助電源装置が装着可能な閃光装置，補助電源装置および補助電源付き電気システムに関する。
【手続補正４】
【補正対象書類名】明細書
【補正対象項目名】０００７
【補正方法】変更
【補正の内容】
【０００７】
【課題を解決するための手段】
請求項１の発明に係る閃光装置は、主コンデンサの充電電荷により発光する発光部と、電源電池としての内部電池が装填される電池室と、内部電池に直列接続される外部電池が装填される補助電源装置が着脱される着脱部と、補助電源装置の装着の有無を検出する検出部材とを具備する。
請求項２の発明は、主コンデンサの充電速度を検出し、その充電速度と検出部材の検出結果に基づいて、内部電池のバッテリ残量に応じた出力、または内部電池と外部電池のバッテリ残量に応じた出力を得るバッテリチェック回路を更に具備する。
請求項３の発明では、検出された充電速度とバッテリチェック用閾値とを比較してバッテリ残量に応じた出力を得る。
請求項４の発明では、検出部材により補助電源装置が装着されていることが検出されたときは、検出されない場合と比べて上記閾値を高くする。
請求項５の発明に係る補助電源付き電気システムは、上記閃光装置と、補助電源装置とを備えるとともに、内部電池と外部電池をそれぞれ円筒電池とし、電池室には、複数の円筒電池を横一列に並べて装填する内部電池空間が設けられ、補助電源装置には、複数の円筒電池の並び方向にその軸心が延在するように外部電池であるひとつの円筒電池が装填される外部電池空間が設けられる。
請求項６の発明は、電気装置に着脱される補助電源装置に適用され、外部電池が装填されるとともに、電気装置の電池室の蓋と交換して電気装置に着脱可能な電池装填部と、電池装填部の着脱により、電池装填部に装填されている内部電池を電気装置の電池室に装填されている外部電池に接続する電気的接続部材と、電池装填部に設けられ、蓋が装填される蓋装着部とを備え、蓋が蓋装填部に装着されると電池装填部の電池を隠蔽する。
請求項７の発明は、蓋を電池装填部に装着するのに連動して電池装填部の電気装置からの取り外しを阻止し、蓋を取り外すのに連動して取り外し阻止を解除するロック機構を更に具備する。
請求項８の発明では、電池装填部は、電池を支持し電気装置に着脱可能な電池支持台と、電池支持台に支持された電池の周囲を囲むように位置決め配置される電池カバーとを有し、電池カバーを電池支持台に位置決め配置して電池カバーに蓋を装着することで、蓋を介して電池支持台と電池カバーとが一体化され、蓋を取り外すことで電池支持台と電池カバーとの一体化が解除される。
請求項９の発明では、電気装置がカメラ用閃光装置である。
請求項１０の発明に係る補助電源付き電気システムは、上記電気装置と、補助電源装置とを備え、電池室には、複数の前記円筒電池を横一列に並べて装填する内部電池空間が設けられ、補助電源装置には、複数の円筒電池の並び方向にその軸心が延在するように外部電池であるひとつの円筒電池が装填される外部電池空間が設けられる。
請求項１１の発明では、電気装置はカメラ用閃光装置である。
【手続補正５】
【補正対象書類名】明細書
【補正対象項目名】００３５
【補正方法】変更
【補正の内容】
【００３５】
【発明の効果】
請求項１の発明に係る閃光装置によれば、補助電源装置の装着の有無を検出できるので、補助電池（外部電池）の有無に応じた動作が行える。
請求項６の発明に係る補助電源装置は、電気装置の電池室の蓋と交換して電気装置に着脱可能であり、その補助電源装置の電池装填部に上記蓋（本来は電気装置の電池室の蓋）を装着することで電池装填部の電池を隠蔽するようにしたので、補助電源装置を装着したときに蓋を単独で保管することがなく、その紛失を防止できる。